(57)【特許請求の範囲】
【請求項１】
同期機の電機子鎖交磁束の発生方向であるγ軸および前記γ軸と直交する方向であるδ軸の二軸（γδ軸）上で前記同期機を制御する同期機制御装置において、
前記同期機の電気角速度による変化と前記電気角速度で回転する回転子上に固定した軸に対する前記同期機の制御軸方向の変化とに応じたγ軸電圧とδ軸電圧の各々の変化分を演算した値を、それぞれγ軸電圧指令およびδ軸電圧指令に加算する電圧補償部を備え、
前記同期機が永久磁石同期機である場合の永久磁石磁束あるいは前記同期機が巻線界磁型である場合に界磁巻線に電流を通流した時に発生する磁束を界磁磁束と定義した時、
前記電圧補償部は、前記同期機の電気角速度と、定義された前記界磁磁束と、前記界磁磁束の発生方向であるｄ軸に対する前記γ軸の位相とを用いて、前記γ軸電圧とδ軸電圧の各々の変化分を演算することを特徴とする同期機制御装置。
【請求項２】
前記電圧補償部は、前記γδ軸上のインダクタンスと前記γδ軸上の電流検出値を用いて、前記γ軸電圧とδ軸電圧の各々の変化分を演算することを特徴とする請求項１に記載の同期機制御装置。
【請求項３】
前記電圧補償部は、前記γδ軸上のインダクタンスと前記γδ軸上の電流指令値を用いて、前記γ軸電圧とδ軸電圧の各々の変化分を演算することを特徴とする請求項１に記載の同期機制御装置。
【請求項４】
前記電圧補償部は、前記γδ軸上のインダクタンスと前記γδ軸上の電流検出値と前記γδ軸上の電流指令値との重み平均値を用いて、前記γ軸電圧とδ軸電圧の各々の変化分を演算することを特徴とする請求項１に記載の同期機制御装置。
【請求項５】
前記電圧補償部は、前記電気角速度とトルク指令とに基づいて、前記γ軸上のインダクタンスおよびδ軸上のインダクタンスの値を補正することを特徴とする請求項２〜４のいずれか１項に記載の同期機制御装置。
【請求項６】
前記電圧補償部は、前記電気角速度と、前記電気角速度で回転する回転子上に固定し、前記界磁磁束の発生方向であるｄ軸および前記ｄ軸と直交する方向であるｑ軸の二軸（ｄｑ軸）上におけるインダクタンスと前記ｄｑ軸上の電流検出値を用いて、前記γ軸電圧とδ軸電圧の各々の変化分を演算することを特徴とする請求項１に記載の同期機制御装置。
【請求項７】
前記電圧補償部は、前記ｄｑ軸上のインダクタンスと、前記ｄｑ軸上の電流指令値を用いて、前記γ軸電圧とδ軸電圧の各々の変化分を演算することを特徴とする請求項６に記載の同期機制御装置。
【請求項８】
前記電圧補償部は、前記ｄｑ軸上のインダクタンスと、前記ｄｑ軸上の電流検出値と前記ｄｑ軸上の電流指令値との重み平均値を用いて、前記γ軸電圧とδ軸電圧の各々の変化分を演算することを特徴とする請求項６に記載の同期機制御装置。
【請求項９】
前記電圧補償部は、前記ｄｑ軸上の電流指令値と前記ｄｑ軸上の電流検出値の内の少なくても一つ以上を用いてｄ軸インダクタンスを演算するｄ軸インダクタンス演算器と、ｑ軸インダクタンスを演算するｑ軸インダクタンス演算器とを備えることを特徴とする請求項６〜８のいずれか１項に記載の同期機制御装置。
【発明の詳細な説明】
【技術分野】
【０００１】
この発明は、同期機を回転駆動する電力変換手段を備えた同期機制御装置に関するものである。
【背景技術】
【０００２】
回転子に永久磁石を有する永久磁石同期電動機や回転子の磁気的突極性を利用してトルクを発生させるリラクタンス電動機等の同期機をインバータ等の電力変換手段を有する同期機制御装置にて制御する際、従来は回転子に対して一定の位相方向に電機子電流ベクトルが向くように制御することが広く行われている。例えば、従来の永久磁石同期機では、電機子電流ベクトルを回転子の永久磁石磁束軸と直交する方向に制御し、所望のトルクに比例して電機子電流ベクトルの絶対値を制御する。
【０００３】
また、前記リラクタンス電動機は、電機子電流ベクトルの絶対値と出力トルクとが比例せず、従来の制御方式では高精度なトルク制御が難しいことが知られている。
さらに、永久磁石同期電動機の回転速度が上昇すると、永久磁石磁束による誘起電圧に起因して電機子電圧が上昇し、該誘起電圧がインバータ等の電力変換手段の出力可能な電圧を超えるため、これを防ぐため永久磁石磁束軸方向に弱め電流と呼ばれる負の電機子電流ベクトルを発生させて電機子鎖交磁束を小さくする弱め磁束制御が行われる。
ただし、弱め電流が同じでも出力トルクが異なると電機子電圧は変化するため、トルクの大きさに応じて電機子電圧を所望の値に制御することは、従来の制御方式は困難であった。
【０００４】
このような課題の解決を図った同期機制御装置の一例として、例えば、特許第４５３１７５１号公報（特許文献１）に示されるものがある。
特許文献１に示されている同期機制御装置は、トルク指令と磁束指令とから電機子電流指令のトルク成分であるトルク電流指令を演算するトルク電流演算器、電機子電流が電力変換手段の電流制限値を越えないよう電機子電流指令の磁化成分である磁化電流指令と前記電流制限値とに基づいて発生可能なトルク電流指令最大値とを発生するトルク電流制限生成器、前記トルク電流指令最大値に基づいてトルク電流指令に制限を加えるリミッタの３つの構成要素とから成るトルク電流指令生成器と、該トルク電流指令生成器からのトルク電流指令に基づいて磁束指令を演算する磁束指令生成器と、同期機の電機子電流または電機子電流および電機子電圧に基づいて電機子鎖交磁束を演算する磁束演算器と、磁束指令と前記電機子鎖交磁束とが一致するように磁化電流指令を作成してトルク電流指令生成器に入力する磁束制御器とを備えている。
【０００５】
特許文献１の同期機制御装置は、磁束指令と磁化電流指令とを参照しながらトルク電流指令を算出することで電力変換手段の出力電流の制限を考慮するとともに、トルク電流指令を参照しながら磁束指令を算出するので、前記の出力電流制限によるトルク電流指令の変動を反映した好適な磁束指令を生成することを可能とするものである。
【先行技術文献】
【特許文献】
【０００６】
【特許文献１】特許第４５３１７５１号公報
【発明の概要】
【発明が解決しようとする課題】
【０００７】
特許文献１に示されている同期機制御装置では、電圧指令値を算出する際に電機子電流を所望の電機子電流指令に一致させるように、実電流値と電流指令とのみに基づいて周知のＰＩ（比例積分）制御などによって電流制御演算を実施している。
そのため、電流変化の小さい定常状態における電流制御の安定性と応答性は確保できるものの、電機子電流が大きく変化したり、電機子電流以外の電気角速度が変化した場合に、電流制御の安定性と応答性が低下する恐れがある。
特に、電機子鎖交磁束の発生方向により、同期機の電気角速度で回転する回転子上に固定した軸（後述のｄｑ軸）に対して制御軸の方向が常に変化するため、安定性と応答性をより確実にするためには、電気角速度の変化に加え、該制御軸の方向の変化も考慮しなければならない。
【０００８】
本発明は、このような問題点を解決するためになされたものであって、電気角速度はもとより、制御軸の方向が変化した場合の電流制御の安定性と応答性とを向上させることを目的としている。
【課題を解決するための手段】
【０００９】
この発明に係る同期機制御装置は、同期機の電機子鎖交磁束の発生方向であるγ軸および前記γ軸と直交する方向であるδ軸の二軸（γδ軸）上で前記同期機を制御する同期機制御装置において、前記同期機の電気角速度による変化と前記電気角速度で回転する回転子上に固定した軸に対する前記同期機の制御軸方向の変化とに応じたγ軸電圧とδ軸電圧の各々の変化分を演算した値を、それぞれγ軸電圧指令およびδ軸電圧指令に加算する電圧補償部を備え、前記同期機が永久磁石同期機である場合の永久磁石磁束あるいは前記同期機が巻線界磁型である場合に界磁巻線に電流を通流した時に発生する磁束を界磁磁束と定義した時、前記電圧補償部は、前記同期機の電気角速度と、定義された前記界磁磁束と、前記界磁磁束の発生方向であるｄ軸に対する前記γ軸の位相とを用いて、前記γ軸電圧とδ軸電圧の各々の変化分を演算するものである。
【発明の効果】
【００１０】
本発明によれば、同期機の電気角速度や制御軸の方向が変化した場合でも電流制御の安定性と応答性とを向上させることができる同期機制御装置を提供できる。
【図面の簡単な説明】
【００１１】
【図１】本発明の実施の形態１による同期機制御装置、電源および同期機とを含めた同期機制御システムの一例を示す構成図である。
【図２】実施の形態１における磁束演算器の構成の一例を示す図である。
【図３】実施の形態１における磁束演算器の他の構成例を示す図である。
【図４】実施の形態１における電流指令生成器の構成例を示す図である。
【図５】実施の形態１における電圧補償部の構成の一例を示す図である。
【図６】実施の形態１における電圧補償部の他の構成例を示す図である。
【図７】実施の形態１における電圧補償部の他の構成例を示す図である。
【図８】実施の形態１における電圧補償部の他の構成例を示す図である。
【図９】実施の形態１における電圧補償部の他の構成例を示す図である。
【図１０】実施の形態２による同期機制御装置、電源および同期機とを含めた同期機制御システムの一例を示す構成図である。
【図１１】実施の形態２における電圧補償部の構成の一例を示す図である。
【図１２】実施の形態２における電圧補償部の他の構成例を示す図である。
【図１３】実施の形態２における電圧補償部の他の構成例を示す図である。
【図１４】実施の形態２における電圧補償部の他の構成例を示す図である。
【発明を実施するための形態】
【００１２】
以下、図面に基づいて、本発明の一実施の形態例について説明する。
なお、各図間において、同一符号は、同一あるいは相当のものであることを表す。
実施の形態１．
図１は、本発明の実施の形態１による同期機制御装置、電源および同期機を含めた同期機制御システムの一例を示す構成図である。
以下、実施の形態１における同期機制御装置１の構成および各構成要素の機能について説明する。
まず、電力変換手段１５の出力側から順に説明し、以降、電力変換手段１５の入力側となる電圧指令の生成までの流れについて説明する。
【００１３】
本実施の形態における「同期機を駆動する同期機制御装置」の構成においては、電源２から供給される電力を多相交流電力へ変換する機能を有するインバータをはじめとする電力変換手段１５と同期機３の電機子巻線とが接続されている。
そして、後述の構成によるγδ→ＵＶＷ座標変換器１４により得られる電圧指令vu*、vv*、vw* に基づいて、電力変換手段１５は同期機３に電圧を印加し、同期機３を駆動する。その結果、同期機３の電機子巻線に出力電流が発生する。
なお、電源２は、直流電圧を出力する電源あるいは電池であり、単相あるいは三相の交流電源から周知のコンバータによって直流電圧を得るものも電源２の実施例として含まれる。
【００１４】
同期機３の出力電流である電機子巻線の電流（以下電機子電流と表記）は、電流センサをはじめとする電流検出手段１６によって検出される。
なお、電流検出手段１６は、「同期機３が三相回転機の場合、同期機３の三相の出力電流の内、全相の出力電流を検出する構成」、あるいは、「１つの相（例えばｗ相）の出力電流iwについては、検出した２つの相の出力電流iu、ivを用いてiw＝−iu−ivの関係から求めるようにして、２つの相の出力電流を検出する構成」でも良い。
さらに、「各相の電流を直接検出する方法」以外に、周知の技術である「電源２と電力変換手段１５との間を流れるＤＣリンク電流から前記出力電流を検出する方法」でも良い。
【００１５】
位置検出手段１８は、周知のレゾルバやエンコーダ等を用いて同期機３の回転子位置θを検出する。
速度演算器２０は、検出した回転子位置θに基づいて微分演算を行い、同期機３の電気角速度ωを算出する。
本発明では、同期機３が永久磁石同期機である場合、永久磁石磁束を界磁磁束と定義し、また、同期機が巻線界磁型である場合、界磁巻線に電流を通流した時に発生する磁束を界磁磁束と定義する。
【００１６】
同期機３の回転子位置θとは、ｕ相電機子巻線を基準に取った軸に対する前記界磁磁束（すなわち、定義された界磁磁束）のＮ極方向の角度を指し、同期機１の回転速度（電気角周波数）ωで回転する回転二軸座標（以下ｄｑ軸と表記）のｄ軸は前記界磁磁束のＮ極方向に定め、以下の説明もこれに従う。ｑ軸はｄ軸に対して90°進んだ直交方向に定める。
なお、本発明では、電機子鎖交磁束の発生方向をγ軸、γ軸に対して90°進んだ直交方向をδ軸とし、以下γ軸とδ軸の二軸を総称してγδ軸と表記する。
【００１７】
磁束演算器１９は、少なくとも電流検出手段１６で検出した同期機３の出力電流iu、iv、iwと後述のγδ→ＵＶＷ座標変換器１４により得られる電圧指令vu*、vv*、vw* に基づいて、電機子鎖交磁束の推定値（以下、推定電機子鎖交磁束と表記）、具体的には、推定電機子鎖交磁束の絶対値｜Φ｜と推定電機子鎖交磁束の位相∠Φとを推定する。推定電機子鎖交磁束の位相∠Φとは、ｄ軸に対する推定電機子鎖交磁束の方向（推定γ軸方向）の角度を指す。
【００１８】
図２は、実施の形態１における磁束演算器１９の構成図の一例である。
図２において、ＵＶＷ→ｄｑ座標変換器１０１は次の式（１）の演算により、同期機３の出力電流iu、iv、iwを回転子位置θに基づいてｄｑ軸上の電流id、iqに変換する。
【００１９】
【数１】
0005456873.tif 000002
【００２０】
電流型磁束演算器１０２では、まず次の式（２）の演算により、ｄｑ軸推定鎖交磁束Φd、Φqを算出する。
【００２１】
【数２】
0005456873.tif 000003
【００２２】
ここで、Ld：ｄ軸インダクタンス、Lq：ｑ軸インダクタンス、Φm：同期機の界磁磁束
を表す。
そしてｄｑ軸推定鎖交磁束Φd、Φqから、次式の演算により、推定電機子鎖交磁束の絶対値｜Φ｜と推定電機子鎖交磁束の位相∠Φとを算出し、出力する。
【００２３】
【数３】
0005456873.tif 000004
【００２４】
【数４】
0005456873.tif 000005
【００２５】
また、図１において、前記磁束演算器１９の代わりに以下に示す磁束演算器１９ａを用いても良い。
【００２６】
図３は、実施の形態１における磁束演算器の他の構成例を示す図である。
磁束演算器１９ａは、前記磁束演算器１９における電流型磁束演算器１０２の代わりに電圧型磁束演算器１０４を有する。
図３において、ＵＶＷ→ｄｑ座標変換器１０３は、次の式（５）の演算により、電圧指令vu*、vv*、vw*を回転子位置θに基づいてｄｑ軸上の電圧指令vd*、vq*に変換する。
【００２７】
【数５】
0005456873.tif 000006
【００２８】
ただし、式（５）において電流検出手段１６で検出された同期機３の電機子電流iu、iv、iwの値に基づく制御演算が、電力変換手段１５から出力される三相電圧vu、vv、vwに反映されるまでの制御演算遅れ時間（無駄時間）を考慮し、回転子位置θに対し、前記制御演算遅れ時間に基づく位相補正量θd1分補正した位相で座標変換しても良い。
電圧型磁束演算器１０４では、まず、ｄｑ軸推定鎖交磁束Φd、Φqを算出する。
【００２９】
【数６】
0005456873.tif 000007
【００３０】
ここで、Rは同期機の電機子巻線の抵抗を表す。
そしてｄｑ軸推定鎖交磁束Φd、Φqから、式（３）、式（４）の演算により、推定電機子鎖交磁束の絶対値｜Φ｜と推定電機子鎖交磁束の位相∠Φとを算出し、出力する。
【００３１】
図２に示した電流型磁束演算器１０２を有する磁束演算器１９は、回転速度にかかわらず磁束の推定が可能であるが、磁束推定にインダクタンス値を使用するので、磁気飽和等による同期機３の特性変動の影響を受けやすい。
一方、図３に示した電圧型磁束演算器１０４を有する磁束演算器１９ａは、インダクタンス値を用いないので同期機３の特性変動の影響を受けにくいが、回転速度が小さい、あるいは、電機子電圧が低い場合には、外乱等の影響によって推定精度が低下することがある。
【００３２】
これらの問題を解決する方法として、電流型磁束演算器１０２と電圧型磁束演算器１０４とを併用して、回転速度が小さい、あるいは電圧指令（変調率）が小さい領域では電流型磁束演算器１０２を主に使用し、これらが上昇すると電圧型磁束演算器１０４を主に使用するように、磁束演算器を切り換える方法を用いても良い。
さらに、細やかな切り換えを行えるように、回転速度ωあるいは電圧指令（変調率）を参照した重み付けを行いながら前記２種類の磁束演算器の出力を平均化するなどの方法を用いても良い。
【００３３】
以上、電力変換手段１５の出力側の動作について説明した。以降、電力変換手段１５の入力側となる電圧指令の生成までの流れについて順に説明する。
ＵＶＷ→γδ座標変換器１７は、同期機３の出力電流iu、iv、iwを次の式（７）の演算により、γδ軸上の電流（検出値）iγ、iδに変換する。
【００３４】
【数７】
0005456873.tif 000008
【００３５】
電流指令生成器１１は、トルク指令値τ*、PN間電圧Vpn、電気角速度ω、電機子鎖交磁束の絶対値｜Φ｜より、γδ軸電流指令値iγ*、iδ*を算出する。
図４は、実施の形態１における電流指令生成器の構成例を示す図である。
電流指令生成器１１は、トルク電流指令生成器２０１、磁束指令生成器２０２と、磁束制御器２０３とから構成される。
トルク電流指令生成器２０１は、同期機制御装置外部から与えられるトルク指令τ*と後述の磁束指令調整器２４から出力される電機子鎖交磁束指令Φ*とに基づいて、次の式（８）により、トルク電流指令iδ*を算出する。
【００３６】
【数８】
0005456873.tif 000009
【００３７】
ここで、Pm：同期機３の極対数を表す。
磁束指令生成器２０２は、入力されたトルク電流指令iδ*に対して好適な電機子鎖交磁束指令Φ*を出力する。なお、出力する磁束指令Φ*は、（同期機１の電機子巻線の）電流ベクトルiの絶対値|i|一定の条件下において、最大のトルクを出力するような磁束指令でも良いし、同期機３を動作させる上で発生する損失（銅損、鉄損、機械損などを含む）を最小とするような磁束指令でもよい。
磁束制御器２０３は、（電機子鎖交）磁束誤差ΔΦが０になるよう調整し、磁束誤差ΔΦに基づいて磁化電流指令iγ*を生成する。磁束誤差ΔΦは、推定電機子鎖交磁束の絶対値|Φ|を磁束指令生成器２０２により生成される電機子鎖交磁束指令Φ*から減じて算出される値であり、該演算式は次の式（９）となる。
【００３８】
【数９】
0005456873.tif 000010
【００３９】
γ軸電流iγは同期機３の磁化成分である磁化電流であるので、γ軸電流により電機子鎖交磁束を操作することができる。具体的には、磁化電流の増減量と電機子鎖交磁束の増減量はγ軸方向インダクタンスLγを比例係数にして比例関係となり、磁束誤差ΔΦが０になるよう調整するための制御器としては直達項を持たない積分器が好適であり、次の式（１０）のような積分制御演算を用いて、磁化電流指令iγ*を生成する。
【００４０】
【数１０】
0005456873.tif 000011
【００４１】
ここで、Kf：磁束制御器の積分項ゲイン、s：ラプラス演算子を表す。
電流制御器１２は、γδ軸電流指令iγ*、iδ*とγδ軸電流iγ、iδとの偏差に基づいて、次の式（１１）に示す比例積分制御（ＰＩ制御）を行い、ＰＩ制御に基づくγδ軸電圧指令vγ*pi、vδ*piを生成する。
【００４２】
【数１１】
0005456873.tif 000012
【００４３】
ここで、Kpγ：電流制御γ軸比例ゲイン、Kiγ：電流制御γ軸積分ゲイン、Kpδ：電流制御δ軸比例ゲイン、Kiδ：電流制御δ軸積分ゲインを表す。
電圧補償部１３は、前記ＰＩ制御に基づくγδ軸電圧指令vγ*pi、vδ*piに対して、電気角速度ωやｄ軸に対する制御軸（すなわちγ軸）の角度である推定電機子鎖交磁束の位相∠Φの変化によるγδ軸電圧の変化分vγ*de、vδ*deを補償し、補償後のγδ軸電圧指令vγ*、vδ*を算出し、出力する。
以下、前記γδ軸電圧の変化分vγ*de、vδ*deの導出について説明する。
ｄ軸電圧vｄｑ軸電圧 vq は以下の式（１２）により表される。
【００４４】
【数１２】
0005456873.tif 000013
【００４５】
ここで、p：微分演算子（＝d/dt）を表す。
式（１２）において、id、iqの時間変化が小さい場合、vd、vq は以下の式（１３）に
より表される。
【００４６】
【数１３】
0005456873.tif 000014
【００４７】
γ軸電圧 vγ、δ軸電圧 vδは以下の式（１４）により表される。
【００４８】
【数１４】
0005456873.tif 000015
【００４９】
式（１４）に式（１３）のvd、vqを代入すると、vγ、vδは、以下の式（１５）により表される。
【００５０】
【数１５】
0005456873.tif 000016
【００５１】
γ軸電流iγ、δ軸電流iδは、以下の式（１６）により表される。
【００５２】
【数１６】
0005456873.tif 000017
【００５３】
式（１６）より、vγ、vδは、以下の式（１７）により表される。
【００５４】
【数１７】
0005456873.tif 000018
【００５５】
ここで、
【００５６】
【数１８】
0005456873.tif 000019
【００５７】
とおくと、vγ、vδは、以下の式（１９）により表される。
【００５８】
【数１９】
0005456873.tif 000020
【００５９】
式（１９）より、前記ＰＩ制御に基づくγδ軸電圧指令vγ*pi、vδ*piに対して、補償すべきγδ軸電圧の変化分vγ*de、vδ*deを、例えば次の式（２０）により定義する。
【００６０】
【数２０】
0005456873.tif 000021
【００６１】
補償すべきγδ軸電圧の変化分vγ*de、vδ*deを式（２０）とすることにより、ｄ軸に
対して制御軸（γ軸）の方向が変化した場合の電流制御の安定性と応答性とを向上させることができる。
【００６２】
図５は、実施の形態１における電圧補償部の構成図の一例である。
電圧補償部１３は、界磁磁束記憶器３０１と、γ軸電圧補償器３０２と、δ軸電圧補償器３０３とから構成される。
界磁磁束記憶器３０１は、同期機の界磁石磁束Φｍを記憶している。
γ軸電圧補償器３０２とδ軸電圧補償器３０３は、式（２０）に基づいて、γδ軸電圧の変化分vγ*de、vδ*deを算出する。
γδ→ｕｖｗ座標変換器１４は、電圧補償部１３による補償後のγδ軸電圧指令vγ*、vδ*を、次の式（２１）に基づいて、ｕｖｗ相電圧指令vu*、vv*、vw* へ座標変換する。
【００６３】
【数２１】
0005456873.tif 000022
【００６４】
ただし、式（２１）において電流検出手段５で検出された同期機３の出力電流iu、iv、iwの値に基づく制御演算が電力変換手段４から出力される三相電圧vu、vv、vwに反映されるまでの制御演算遅れ時間（無駄時間）を考慮し、（θ＋∠Φ）に対し、前記制御演算遅れ時間に基づく位相補正量θd2分補正した位相で座標変換しても良い。
電力変換手段１５は、前記の通り、電圧指令vu*、vv*、vw*に基づいて同期機３に電圧vu、vv、vwを印加する。
【００６５】
本実施の形態によれば、電気角速度ωやｄ軸に対する制御軸（すなわちγ軸）の角度である推定電機子鎖交磁束の位相∠Φの変化に応じたγδ軸電圧の変化分を補償するので、特許文献１の同期機制御装置と比較して電流制御安定性と応答性とが向上する。
さらに、実際のγδ軸電流（検出値）の変化をも考慮することにより、電機子電流が大きく変化した時の電流制御の応答性がより向上する。
【００６６】
図６は、実施の形態１における電圧補償部の他の構成例を示す図であって、前記電圧補償部１３とは異なる構成の電圧補償部１３ａを示している。
電圧補償部１３ａは、界磁磁束記憶器３０１と、γ軸電圧補償器３０２ａと、δ軸電圧補償器３０３ａと、δ軸インダクタンス記憶器３０４と、γ軸インダクタンス記憶器３０５とから構成される。
δ軸インダクタンス記憶器３０４、γ軸インダクタンス記憶器３０５は、それぞれδ軸インダクタンスLδ、γ軸インダクタンスLγを記憶している。
γ軸電圧補償器３０２ａと、δ軸電圧補償器３０３ａは、次の式（２２）に基づいて、γδ軸電圧の変化分vγ*de、vδ*deを算出する。
【００６７】
【数２２】
0005456873.tif 000023
【００６８】
γδ軸電圧の変化分vγ*de、vδ*deに、式（２２）の右辺第１項の「−ω・Lδ・iδ」、「ω・Lγ・iγ」を含めることにより、電圧補償部１３を用いる場合と比較して、電機子電流が大きく変化した時の電流制御の応答性がより向上する。
また、γδ軸電圧の変化分vγ*de、vδ*deを算出する際に、γδ軸電流（検出値）の代わりに、検出時のノイズ等の影響を受けないγδ軸電流指令値を用いてもよい。
【００６９】
図７は、実施の形態１における電圧補償部の他の構成例を示す図であって、前記電圧補償部１３、電圧補償部１３ａとは異なる構成の電圧補償部１３ｂを示している。
電圧補償部１３ｂは、界磁磁束記憶器３０１と、γ軸電圧補償器３０２ｂと、δ軸電圧補償器３０３ｂと、δ軸インダクタンス記憶器３０４と、γ軸インダクタンス記憶器３０５とから構成される。γ軸電圧補償器３０２ｂと、δ軸電圧補償器３０３ｂは、次の式（２３）に基づいて、γδ軸電圧の変化分vγ*de、vδ*deを算出する。
【００７０】
【数２３】
0005456873.tif 000024
【００７１】
γδ軸電圧の変化分vγ*de、vδ*deの算出に、検出ノイズ等の影響を受けないγδ軸電流指令値を用いることにより、電圧補償部１３を用いる場合と比較して、電機子電流が大きく変化した時の電流制御の安定性がより向上する。
また、γδ軸電圧の変化分vγ*de、vδ*deを算出する際に、γδ軸電流（検出値）の代わりに、iγとiγ*との重み平均値と、iδとiδ*との重み平均値とを用いてもよい。
【００７２】
図８は、実施の形態１における電圧補償部の他の構成例を示す図であって、前記電圧補償部１３、電圧補償部１３ａ、電圧補償部１３ｂとは異なる構成の電圧補償部１３ｃを示している。
電圧補償部１３ｃは、界磁磁束記憶器３０１と、γ軸電圧補償器３０２ｃと、δ軸電圧補償器３０３ｃと、δ軸インダクタンス記憶器３０４と、γ軸インダクタンス記憶器３０５と、δ軸電流重み係数記憶器３０６と、数値記憶器３０７、３０７ａと、γ軸電流重み係数記憶器３０８とから構成される。
δ軸電流重み係数記憶器３０６、γ軸電流重み係数記憶器３０８は、それぞれδ軸電流重み係数kδ、γ軸電流重み係数kγを記憶している。
数値記憶器３０７、３０７ａは、１という数値を記憶している。
γ軸電圧補償器３０２cとδ軸電圧補償器３０３ｃは、次の式（２４）に基づいてγδ軸電圧の変化分vγ*de、vδ*deを算出する。
【００７３】
【数２４】
0005456873.tif 000025
【００７４】
γδ軸電圧の変化分vγ*de、vδ*deの算出に、iγとiγ*との重み平均値と、iδとiδ*との重み平均値とを用いることにより、電圧補償部１３を用いる場合と比較して、電機子電流が大きく変化した時の電流制御の応答性と安定性の両方がより向上する。
また、式（１８）に示すように、Lγ、Lδの値は、γδ軸電流iγ、iδ、ｄｑ電流id、iq、∠Φによって変化する値であるため、逐次Lγ、Lδの値を補正するような構成としてもよい。
【００７５】
図９は、実施の形態１における電圧補償部の他の構成例を示す図であって、前記電圧補償部１３、電圧補償部１３ａ〜電圧補償部１３ｃとは異なる構成の電圧補償部１３ｄを示している。
電圧補償部１３ｄは、界磁磁束記憶器３０１と、γ軸電圧補償器３０２ｃと、δ軸電圧補償器３０３ｃと、δ軸電流重み係数記憶器３０６と、数値記憶器３０７、３０７ａと、γ軸電流重み係数記憶器３０８と、δ軸インダクタンス演算器３０９と、γ軸インダクタンス演算器３１０とから構成される。
δ軸インダクタンス演算器３０９とγ軸インダクタンス演算器３１０は、それぞれトルク指令τ*や電気角速度ωを入力として、Lδ、Lγの値を演算して出力する。
【００７６】
Lγ、Lδの値は、式（１８）に示すようにγδ軸電流iγ、iδ、ｄｑ電流id、iq、∠Φの複数のパラメータに基づく関数として表されるが、これら複数のパラメータの関数としてLγ、Lδの値を演算する代わりに、トルク指令τ*と電気角速度ωとよって変化する値と見なして、トルク指令τ*と電気角速度ωとを入力としてLγ、Lδの値を出力するようなテーブル、あるいは数式という形で前記δ軸インダクタンス演算器３０９と、γ軸インダクタンス演算器３１０とを実現する。該テーブルや数式は、予め解析や実測に基づいて作成しておく。
逐次Lγ、Lδの値を補正することにより、電圧補償部１３ｃを用いる場合と比較して、電圧補償精度がより向上し、より電流制御の安定性と応答性とを向上できる。
【００７７】
以上説明したように、実施の形態１による同期機制御装置は、同期機３の電機子鎖交磁束の発生方向であるγ軸および前記γ軸と直交する方向であるδ軸の二軸（γδ軸）上で前記同期機３を制御する同期機制御装置において、前記同期機３の電気角速度による変化と前記電気角速度で回転する回転子上に固定した軸に対する前記同期機の制御軸方向の変化とに応じたγ軸電圧とδ軸電圧の各々の変化分を演算した値を、それぞれγ軸電圧指令およびδ軸電圧指令に加算する電圧補償部１３を備え、前記同期機３が永久磁石同期機である場合の永久磁石磁束あるいは前記同期機３が巻線界磁型である場合に界磁巻線に電流を通流した時に発生する磁束を界磁磁束と定義した時、前記電圧補償部１３は、前記同期機３の電気角速度と、定義された前記界磁磁束と、前記界磁磁束の発生方向であるｄ軸に対する前記γ軸の位相とを用いて、前記γ軸電圧とδ軸電圧の各々の変化分を演算する。
従って、従来例と比較して、電気角速度、同期機の電気角速度で回転する回転子上に固定した軸に対する制御軸の方向の変化に応じたγ軸電圧とδ軸電圧の各々の変化分を補償することが可能となり、同期機制御装置電流制御の安定性と応答性とが向上する。
【００７８】
また、電圧補償部１３ａ（図６参照）は、γδ軸上のインダクタンスとγδ軸上の電流検出値を用いて、γ軸電圧とδ軸電圧の各々の変化分を演算する。
従って、図５に示した電圧補償部１３を用いた場合と比較して、実際のγδ軸電流値の変化をも考慮することが可能となり、電機子電流が大きく変化した時の電流制御の応答性がより向上する。
また、電圧補償部１３ｂ（図７参照）は、γδ軸上のインダクタンスとγδ軸上の電流指令値を用いて、γ軸電圧とδ軸電圧の各々の変化分を演算する。
従って、図５に示した電圧補償部１３を用いた場合と比較して、検出ノイズの影響が無いγδ軸上の電流指令値を用いながら、γδ軸電流値の変化を考慮することが可能となり、電機子電流が大きく変化した時の電流制御の安定性がより向上する。
【００７９】
また、電圧補償部１３ｃ（図８参照）は、γδ軸上のインダクタンスと、γδ軸上の電流検出値とγδ軸上の電流指令値との重み平均値を用いて、γ軸電圧とδ軸電圧の各々の変化分を演算する。
従って、図５に示した電圧補償部１３を用いた場合と比較して、γδ軸上の電流検出値と電流指令値との両方を用いてγδ軸電圧の変化分を演算することが可能となり、電機子電流が大きく変化した時の電流制御の応答性と安定性の両方がより向上する。
また、電圧補償部１３ｄ（図９参照）は、電気角速度とトルク指令とに基づいてLγ、Lδの値を補正する。
従って、図６〜図８に示した電圧補償部を用いた場合と比較して、γδ軸上のインダクタンスの値が一定ではない場合において、トルク指令や電気角速度に応じて逐次γδ軸上のインダクタンスの値を補正することが可能となり、電圧補償精度がより向上し、電流制御の安定性と応答性とを向上できる。
【００８０】
実施の形態２．
前述した実施の形態１における同期機制御装置では、γδ軸インダクタンスLγ、Lδが一定値でない場合において、予め解析や実測に基づいて作成したテーブルあるいは数式に基づいて、トルク指令τ*や電気角速度ωの値からLγ、Lδの値を算出し、逐次Lγ、Lδの値を補正している。
しかしながら、トルク指令τ*や電気角速度ωの値からLγ、Lδの値を算出するための前記テーブルあるいは数式を予め解析や実測に基づいて作成することは容易ではなく、多くの工数を要する。
【００８１】
一般的に、ｄｑ軸上のインダクタンスLd、Lqは、ｄｑ軸電流id、iqのみに依存して変化することが多く、さらに、飽和の影響を無視すれば一定値として扱うことができ、γδ軸上のインダクタンスLγ、Lδと比較して演算処理上扱い易い。
このことを鑑み、実施の形態２では、ｄｑ軸上のインダクタンスLd、Lqを用いて、前記γδ軸電圧の変化分vγ*de、vδ*deを算出する構成とする。
【００８２】
図１０は、実施の形態２における同期機制御装置１ａと電源２と同期機３とを含めた同期機制御システムを示すものである。
実施の形態２における同期機制御装置１ａの構成は、実施の形態１における同期機制御装置１の構成とほぼ同じであるが、磁束演算器１９の出力信号としてｄｑ軸電流id、iqが追加されていることと、γδ→ｄｑ座標変換器２１が追加されていることと、電圧補償部１３ｅの構成が異なる。
γδ→ｄｑ座標変換器２１は、γδ軸電流指令iγ*、iδ*をｄｑ軸電流指令iｄ*、iｑ＊ へ座標変換する。
【００８３】
【数２５】
0005456873.tif 000026
【００８４】
図１１は、実施の形態２における電圧補償部１３ｅの構成図の一例である。
電圧補償部１３ｅは、界磁磁束記憶器３０１と、γ軸電圧補償器３０２ｅと、δ軸電圧補償器３０３ｅと、ｄ軸インダクタンス記憶器３１１と、ｑ軸インダクタンス記憶器３１２とから構成される。
ｄ軸インダクタンス記憶器３１１、ｑ軸インダクタンス記憶器３１２は、それぞれｄ軸インダクタンスLd、ｑ軸インダクタンスLqを記憶している。
γ軸電圧補償器３０２ｅと、δ軸電圧補償器３０３ｅは、次の式（２６）の演算により前記γδ軸電圧の変化分vγ*de、vδ*deを算出する。
【００８５】
【数２６】
0005456873.tif 000027
【００８６】
本実施の形態によれば、電気角速度ωやｄ軸に対する制御軸（すなわちγ軸）の角度である推定電機子鎖交磁束の位相∠Φの変化に応じたγδ軸電圧の変化分を補償する際、実際のｄｑ軸電流（検出値）の変化をｄｑ軸インダクタンスに基づいて考慮することにより、前記テーブルあるいは数式を予め解析や実測に基づいて作成する工数が減少し、演算処理も容易となるとともに、電機子電流が大きく変化した時の電流制御の応答性もより向上する。
また、γδ軸電圧の変化分vγ*de、vδ*deを算出する際に、ｄｑ軸電流（検出値）の代わりに、検出時のノイズ等の影響を受けないｄｑ軸電流指令値を用いてもよい。
【００８７】
図１２は、実施の形態２における電圧補償部の他の構成例を示す図であって、前記電圧補償部１３ｅとは異なる電圧補償部１３ｆの構成を示している。
電圧補償部１３ｆは、界磁磁束記憶器３０１と、γ軸電圧補償器３０２ｆと、δ軸電圧補償器３０３ｆと、ｄ軸インダクタンス記憶器３１１と、ｑ軸インダクタンス記憶器３１２とから構成される。
γ軸電圧補償器３０２ｆと、δ軸電圧補償器３０３ｆとは、次式の演算により前記γδ軸電圧の変化分vγ*de、vδ*deを算出する。
【００８８】
【数２７】
0005456873.tif 000028
【００８９】
電圧補償部１３ｆを用いてγδ軸電圧の変化分vγ*de、vδ*deを算出することにより、電圧補償部１３を用いる場合と比較して、電機子電流が大きく変化した時の電流制御の安定性がより向上する。
また、電圧補償部１３ｅを用いた場合と同様に、前記γδ軸上のインダクタンスを補正するためのテーブルあるいは数式を予め解析や実測に基づいて作成する工数が減少し、演算処理も容易となる。
また、γδ軸電圧の変化分vγ*de、vδ*deを算出する際に、ｄｑ軸電流（検出値）の代わりに、idとid*の重み平均値とiqとiq*の重み平均値を用いてもよい。
【００９０】
図１３は、実施の形態２における電圧補償部の他の構成例を示す図であって、前記電圧補償部１３ｅとは異なる電圧補償部１３ｇの構成を示している。
電圧補償部１３ｇは、界磁磁束記憶器３０１と、γ軸電圧補償器３０２ｇと、δ軸電圧補償器３０３ｇと、数値記憶器３０７ｂ、３０７ｃと、ｄ軸インダクタンス記憶器３１１と、ｑ軸インダクタンス記憶器３１２と、ｄ軸電流重み係数記憶器３１３と、γ軸電流重み係数記憶器３１４とから構成される。
γ軸電圧補償器３０２ｇとδ軸電圧補償器３０３ｇは、次の式（２８）の演算により前記γδ軸電圧の変化分vγ*de、vδ*deを算出する。数値記憶器３０７ｂ、３０７ｃは、１という数値を記憶している。ｄ軸電流重み係数記憶器３１３とｑ軸電流重み係数記憶器３１４は、それぞれｄ軸電流重み係数kｄ、ｑ軸電流重み係数kｑを記憶している。γ軸電圧補償器３０２ｇと、δ軸電圧補償器３０３ｇとは、次の式（２８）の演算により前記γδ軸電圧の変化分vγ*de、vδ*deを算出する。
【００９１】
【数２８】
0005456873.tif 000029
【００９２】
電圧補償部１３ｇを用いてγδ軸電圧の変化分vγ*de、vδ*deを算出することにより、電圧補償部１３を用いる場合と比較して、電機子電流が大きく変化した時の電流制御の応答性と安定性の両方がより向上する。
また、電圧補償部１３ｅを用いた場合と同様に、前記γδ軸上のインダクタンスを補正するためのテーブルあるいは数式を予め解析や実測に基づいて作成する工数が減少し、演算処理も容易となる。
また、一般的にｄｑ軸電流id、iqが変化すると、磁束飽和の影響でｄｑ軸インダクタンスLd、Lqは変化することから、磁気飽和の影響を考慮するような構成としても良い。
【００９３】
図１４は、実施の形態２における電圧補償部の他の構成例を示す図であって、前記電圧補償部１３ｅとは異なる電圧補償部１３ｈの構成を示している。
電圧補償部１３ｈは、界磁磁束記憶器３０１と、γ軸電圧補償器３０２ｇと、δ軸電圧補償器３０３ｇと、数値記憶器３０７ｂ、３０７ｃと、ｄ軸電流重み係数記憶器３１３と、γ軸電流重み係数記憶器３１４と、ｄ軸インダクタンス演算器３１５と、ｑ軸インダクタンス演算器３１６とから構成される。
ｄ軸インダクタンス演算器３１５は、ｄｑ軸電流id、iqよりｄ軸インダクタンスLdを算出する。ｑ軸インダクタンス演算器３１６は、ｄｑ軸電流id、iqよりｑ軸インダクタンスLqを算出する。ｄ軸インダクタンス演算器３１５と、ｑ軸インダクタンス演算器３１６は、例えばidとid*の重み平均値と、iqとiq*の重み平均値とを入力として、Ld、Lqの値を出力するようなテーブル、あるいは数式という形で実現する。
磁束飽和を考慮して逐次Ld、Lqの値を補正することにより、電圧補償部１３ｇを用いる場合と比較して、電圧補償精度がより向上し、より電流制御の安定性と応答性の両方を向上できる。
【００９４】
以上説明したように、実施の形態２による同期機制御装置の電圧補償部１３ｅ（図１１参照）は、電気角速度と、該電気角速度で回転する回転子上に固定し、界磁磁束の発生方向であるｄ軸およびｄ軸と直交する方向であるｑ軸の二軸（ｄｑ軸）上におけるインダクタンスと、ｄｑ軸上の電流検出値を用いて、γ軸電圧とδ軸電圧の各々の変化分を演算する。
従って、図５に示した電圧補償部１３を用いた場合と比較して、実際のｄｑ軸電流値の変化をも考慮することにより、電機子電流が大きく変化した時の電流制御の応答性がより向上するとともに、図９に示した電圧補償部１３ｄを用いた場合と比較して、電気角速度とトルク指令とに基づいてγδ軸上のインダクタンスを補正するためのテーブルあるいは数式を予め解析や実測に基づいて作成する工数が減少し、演算処理も容易となる。
【００９５】
また、電圧補償部１３ｆ（図１２参照）は、ｄｑ軸上のインダクタンスと、ｄｑ軸上の電流指令値を用いて、γ軸電圧とδ軸電圧の各々の変化分を演算する。
従って、図５に示した電圧補償部１３を用いた場合と比較して、検出ノイズの影響が無いｄｑ軸上の電流指令値を用いながら、ｄｑ軸電流値の変化を考慮することにより、電機子電流が大きく変化した時の電流制御の安定性がより向上するとともに、図１１に示した電圧補償部１３ｅを用いた場合と同様に、前記γδ軸上のインダクタンスを補正するためのテーブルあるいは数式を予め解析や実測に基づいて作成する工数が減少し、演算処理も容易となる。
【００９６】
また、電圧補償部１３ｇ（図１３参照）は、ｄｑ軸上のインダクタンスとｄｑ軸上の電流検出値とｄｑ軸上の電流指令値との重み平均値を用いて、γ軸電圧とδ軸電圧の各々の変化分を演算する。
従って、図５に示した電圧補償部１３を用いた場合と比較して、ｄｑ軸上の電流検出値と電流指令値との両方を用いてγδ軸電圧の変化分を演算することにより、電機子電流が大きく変化した時の電流制御の応答性と安定性の両方がより向上するとともに、図１１に示した電圧補償部１３ｅを用いた場合と同様に、γδ軸上のインダクタンスを補正するためのテーブルあるいは数式を予め解析や実測に基づいて作成する工数が減少し、演算処理も容易となる。
【００９７】
また、電圧補償部１３ｈ（図１４参照）は、ｄｑ軸上の電流指令値とｄｑ軸上の電流検出値の内の少なくても一つ以上を用いてｄ軸インダクタンスを演算するｄ軸インダクタンス演算器と、ｑ軸インダクタンスを演算するｑ軸インダクタンス演算器とを備える。
従って、磁気飽和によりLd、Lqが変化する場合、図１１、図１２、図１３に示した電圧補償部を用いた場合と比較して、ｄｑ軸インダクタンスLd、Lqが変化することを考慮してγ軸電圧とδ軸電圧の各々の変化分を補償するので、電圧補償精度がより向上し、電流応答性も向上する。
【００９８】
なお、本発明は、その発明の範囲内において、各実施の形態を組み合わせたり、各実施の形態を適宜、変形省略することが可能である。
【産業上の利用可能性】
【００９９】
本発明は、同期機の電気角速度や制御軸の方向が変化した場合でも、電流制御の安定性と応答性とを向上させることができる同期機制御装置の実現に有用である。
【符号の説明】
【０１００】
１，１ａ  同期機制御装置            ２  電源          ３  同期機
１１  電流指令生成器                １２  電流制御器
１３、１３ａ〜１３ｈ  電圧補償部
１４  γδ→ｕｖｗ座標変換器        １５  電力変換手段
１６  電流検出手段                  １７  ｕｖｗ→γδ座標変換器
１８  位置検出手段                  １９、１９ａ  磁束演算器
２０  速度演算器                    ２１  γδ→ｄｑ座標変換器
１０１  ｕｖｗ→ｄｑ座標変換器        １０２  電流型磁束演算器
１０３  ｕｖｗ→ｄｑ座標変換器        １０４  電圧型磁束演算器
２０１  トルク電流生成器              ２０２  磁束指令生成器
２０３  磁束制御器                    ３０１  界磁磁束記憶器
３０２、３０２ａ〜３０２ｇ  γ軸電圧補償器
３０３、３０３ａ〜３０３ｇ  δ軸電圧補償器
３０４  δ軸インダクタンス記憶器      ３０５  γ軸インダクタンス記憶器
３０６  δ軸電流重み係数記憶器
３０７、３０７ａ〜３０７ｃ  数値記憶器
３０８  γ軸電流重み係数記憶器        ３０９  δ軸インダクタンス演算器
３１０  γ軸インダクタンス演算器      ３１１  ｄ軸インダクタンス記憶器
３１２  ｑ軸インダクタンス記憶器      ３１３  ｄ軸電流重み係数記憶器
３１４  ｑ軸電流重み係数記憶器        ３１５  ｄ軸インダクタンス演算器
３１６  ｑ軸インダクタンス演算器
【要約】
【課題】同期機の電気角速度や制御軸の方向が変化しても電流制御の安定性と応答性を向上できる同期機制御装置を提供する。
【解決手段】同期機３の電気角速度による変化と同期機３の制御軸方向の変化とに応じたγ軸電圧とδ軸電圧の各々の変化分を演算した値を、それぞれγ軸電圧指令およびδ軸電圧指令に加算する電圧補償部１３を備え、同期機が永久磁石同期機である場合の永久磁石磁束あるいは同期機が巻線界磁型である場合に界磁巻線に電流を通流した時に発生する磁束を界磁磁束と定義した時、電圧補償部１３は、同期機３の電気角速度と定義された界磁磁束と該界磁磁束の発生方向であるｄ軸に対する前記γ軸の位相とを用いて、γ軸電圧とδ軸電圧の各々の変化分を演算する。
【選択図】図1【図１】
0005456873.tif 000030
【図２】
0005456873.tif 000031
【図３】
0005456873.tif 000032
【図４】
0005456873.tif 000033
【図５】
0005456873.tif 000034
【図６】
0005456873.tif 000035
【図７】
0005456873.tif 000036
【図８】
0005456873.tif 000037
【図９】
0005456873.tif 000038
【図１０】
0005456873.tif 000039
【図１１】
0005456873.tif 000040
【図１２】
0005456873.tif 000041
【図１３】
0005456873.tif 000042
【図１４】
0005456873.tif 000043